(57)【要約】【課題】ワイシャツを着用してネクタイを装着する場合に、ネクタイを結び締めするような手間を要しないでワンタッチで装着又は取外しができるようにした利便性の高いワンタッチ止めネクタイを提供する。【解決手段】ワイシャツの襟１０の内側に前面から装着されるようにネクタイ１の中途部を折り返して結び部２とこの結び部より垂下したネクタイ垂下部３とを備えたネクタイであって、前記結び部２は上部が開口した袋４を備え、該袋内に結び部２をワイシャツ側に係着する係止部材５を出し入れ自由に装入することにより課題を解決する。【選択図】図１
2006138038.tif 000002
【特許請求の範囲】
【請求項１】
ワイシャツの襟（１０）の内側に前面から装着されるようにネクタイ（１）の中途部を折り返して結び部（２）とこの結び部より垂下したネクタイ垂下部（３）とを備えたネクタイであって、前記結び部（２）は上部が開口した袋（４）を備え、該袋内に結び部（２）をワイシャツ側に係着する係止部材（５）を出し入れ自由に装入してなることを特徴とするワンタッチ止めネクタイ。
【請求項２】
前記係止部材（５）は、結び部の袋（４）内に装入されるホルダー部（５１）とこのホルダー部と一体に形成されたクリップ部（５２）とからなる請求項１記載のワンタッチ止めネクタイ。
【発明の詳細な説明】
【技術分野】
【０００１】
本発明は、ワイシャツを着用してネクタイを装着する場合に、ネクタイを結び締めするような手間を要しないでワンタッチで装着又は取外しができるようにしたワンタッチ止めネクタイに関する。
【背景技術】
【０００２】
ネクタイをワンタッチで装着又は取外すことができるようにしたワンタッチ止めネクタイは、従来から様々なものが提案されている。特許文献１及び２は、ネクタイ結び部にネックバンドを設けた場合のワンタッチ止めネクタイの一例である。
【０００３】
【特許文献１】実開昭６１−１６４２１３号公報
【特許文献２】特開２００３−３１３７１３号公報
【発明の開示】
【発明が解決しようとする課題】
【０００４】
公知のワンタッチ止めネクタイの一例を図４について説明する。図４（ａ）及び（ｂ）はワンタッチ止めネクタイと、このワンタッチ止めネクタイをワイシャツに装着した場合の斜視図である。図４（ｂ）に示すように、（４１）の結び部（４２）は予じめ固定化した略三角形状に形成され、この結び部（４２）にネックバンド（４３）が設けられている。ネックバンド（４３）はゴム紐のような伸縮性のもので輪状に形成し、又は非伸縮性のもので、一部に止め具（４４）を設けて開閉式に構成されている。このようなワンタッチ止めネクタイは図４（ａ）に示すように、ワイシャツに装着する場合は、ワイシャツの襟を立てて襟の内側にネックバンド（４３）を嵌め、結び部（４２）の位置を決めた後に襟を元通りに折り返えす。
【０００５】
上記のような従来のワンタッチ止めネクタイでは、ネクタイ結び部は予じめ固定化した形に形成したものとなるため限られたネクタイしか使用できない、という問題がある。また、ネックバンドが邪魔になり取外した場合の保管、収納等に問題がある。
【０００６】
本発明は上記に鑑みてなされたものであり、ネクタイの装着、取外しが簡単で、一旦装着すると、緩んだり、ずれたりせずどのような種類のネクタイでも自由に使用できる利便性の高いワンタッチ止めネクタイを提供することを技術的課題とする。
【課題を解決するための手段】
【０００７】
本発明に係るワンタッチ止めネクタイは、ワイシャツの襟１０の内側に前面から装着されるようにネクタイ１の中途部を折り返して結び部２とこの結び部より垂下したネクタイ垂下部３とを備えたネクタイであって、前記結び部２は上部が開口した袋４を備え、該袋内に結び部２をワイシャツ側に係着する係止部材５を出し入れ自由に装入してなることを特徴とする。
このような構成によると、ワイシャツを着用してネクタイを付けるときには、ネクタイ結び部とともに、結び部の袋内に嵌装した係止部材をワイシャツの襟の前合わせ部にクリップで止めるように挟着することにより簡単にネクタイを正しい位置に装着することができる。ネクタイを外す場合もクリップを外す要領で簡単にワンタッチで外すことができる。
【０００８】
また、本発明に係るワンタッチ止めネクタイは、係止部材５は、結び部の袋４内に装入されるホルダー部５１とこのホルダー部と一体に形成されたクリップ部５２とからなることを特徴とする。
このような構成によると、単品としての係止部材が合成樹脂等の成形品で簡単安価に提供できる。
【発明の効果】
【０００９】
本発明に係るワンタッチ止めネクタイは、ワイシャツの襟元にネクタイ結び部を当てがい、結び部内の袋に設けられた係止部材で結び部と襟元とを内外よりクリップで挟圧着する如くに取付けるものであるから簡単にワンタッチで体裁良くネクタイを装着することができ。また、ネクタイを外す場合は係止部材を緩めて簡単にワンタッチで外すことができる。而も襟の内側にネックバンドを挟み込んだりしないで、ネクタイの装着、取外しが迅速且つ容易にできるとともに、ネクタイの保管収納等も楽にできる。
【発明を実施するための最良の形態】
【００１０】
以下、図１乃至図３を参照して、発明に係るワンタッチ止めネクタイの実施例を説明する。
【実施例】
【００１１】
図１は、本発明のワンタッチ止めネクタイをワイシャツに装着した状態の正面図で、図２（ａ）及び（ｂ）は、そのワンタッチ止めネクタイの要部の正面図と側面図である。このワンタッチ止めネクタイは、１本のネクタイ１とこのネクタイをワイシャツの襟１０に係着する係止部材５とから構成される。
【００１２】
図３は、結び部２を形成したネクタイ１とこのネクタイの結び部２に装入される係止部材５の分解斜視図である。ネクタイ１は、通常の市販されているものを使用してもよく、また特注されたものであってもよい、このようなネクタイ１の中間部に折り返しにより結び部２を形成する。結び部２は形を保つために仮りの縫い糸１２又はピン等で重合部を固定するとよい。このような結び部２の折り方や形、大きさ等は適宜に形成できる。図３（ｂ）のように先が斜辺（イ）をつくり、表側へ折り返えす。次に図３（ｃ）のようにさらに裏側へ巻き込むように折り返してクロスする斜辺（ロ）をつくる。すると、表側に結び部２が形成されると同時に結び部２とクロスした斜辺（イ）（ロ）の折り返し片によって前後重合部間に袋４が形成される。
【００１３】
係止部材５は、弾性合成樹脂の成形品でホルダー部５１とクリップ部５２とで一体形成される。クリップ部５２は保有弾力により挟持力が働くようにする。また、クリップ部を洗濯バサミのように別体に形成してばねを利かせるようにすることもできる。
【００１４】
本発明に係るワンタッチ止めネクタイを用いてワイシャツに装着する方法を図１乃至図３（ａ）について説明する。図３（ａ）に示すように、先づネクタイ１の上部の結び部２に形成された袋４に上方より係止部材５のホルダー部５１を挿入する。ホルダー部は弾性の利いた板状であり、左右からつまむように巾をすぼめた形にして袋４内に挿入すると、弾力のために張力が作用して定位置にしつかり固定される。
【００１５】
ワイシャツ１１を着用し、最上部のボタンを止め、その前合せ部の上から前記のネクタイ結び部２を当てがい、裏側に露出している係止部材５のクリップ部５２を襟１０を前合せ部の前面上部より挟み込むと図１に示すようにワイシャツの襟の前合せ部に結び部２が定着し、ネクタイの取付が完了する。ネクタイを外す場合は結び部２とともに係止部材５を持ち上げるとクリップ部による挟持が外れてネクタイをワンタッチで取外すことができる。
【産業上の利用可能性】
【００１６】
以上のように、本発明に係るワンタッチ止めネクタイは、どのようなネクタイにも利用でき、ネクタイの装着、取外しが極めて簡単迅速に行うことができ、ネックバンドや襟の内側に着脱可能な止具を設けるような従来品に比べ構成が簡単でコスト的にも安価に実施できるため、産業上の利用可能性は極めて大きい。
【図面の簡単な説明】
【００１７】
【図１】本発明のワンタッチ止めネクタイをワイシャツに装着した状態の要部正面図である。
【図２】（ａ）は本発明のワンタッチ止めネクタイの要部の正面図、（ｂ）はその側面図である。
【図３】（ａ）は本発明ワンタッチ止めネクタイと係止部材の分解斜視図で夫々を裏側からみた状態を示している。（ｂ）及び（ｃ）はネクタイ結び部の折り方を説明する図で、夫々裏側からみた要部正面図である。
【図４】（ａ）は従来のネックバンド式ワンタッチ止めネクタイの要部斜視図で、（ｂ）はワイシャツに装着した状態の要部斜視図である。
【符号の説明】
【００１８】
１    ネクタイ
２    結び部
３    ネクタイ垂下部
４    袋
５    係止部材
５１  ホルダー部
５２  クリップ部
１０  襟
１１  ワイシャツ
【図１】
2006138038.tif 000003
【図２】
2006138038.tif 000004
【図３】
2006138038.tif 000005
【図４】
2006138038.tif 000006